【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
撮像手段で撮像されたライブビュー画像を、通常倍率表示と、当該通常倍率表示よりも拡大した拡大表示を含む複数の表示状態のいずれかで表示手段に表示するように制御する表示制御手段と、
前記ライブビュー画像を前記拡大表示している際に第１の操作があった場合には、前記通常倍率表示に切り替えるとともに第１のＡＦ方式でＡＦ処理を実行し、
前記ライブビュー画像を前記拡大表示している際に第２の操作があった場合には、前記拡大表示を維持して第２のＡＦ方式でＡＦ処理を実行するように制御する制御手段と、を有することを特徴とする撮像制御装置。
【請求項２】
前記第１のＡＦ方式と前記第２のＡＦ方式を含む複数のＡＦ方式のうち、ユーザに選択されたＡＦ方式に設定する設定手段を更に有し、
前記制御手段は、前記設定手段で前記第１のＡＦ方式に設定されており、かつ、前記ライブビュー画像を前記拡大表示している際に前記第１の操作があった場合には、前記通常倍率表示に切り替えるとともに前記第１のＡＦ方式でＡＦ処理を実行し、
前記設定手段で前記第１のＡＦ方式に設定されており、かつ、前記ライブビュー画像を前記拡大表示している際に前記第２の操作があった場合には、前記拡大表示を維持して前記第２のＡＦ方式でＡＦ処理を実行するように制御することを特徴とする請求項１に記載の撮像制御装置。
【請求項３】
前記制御手段は、前記設定手段で前記第１のＡＦ方式に設定されており、かつ、前記ライブビュー画像を前記拡大表示している際に前記第２の操作があった場合に、前記設定手段の設定を前記第２のＡＦ方式に変更し、前記拡大表示を維持して前記第２のＡＦ方式でＡＦ処理を実行した後、前記設定手段の設定を前記第１のＡＦ方式に戻すように制御することを特徴とする請求項２に記載の撮像制御装置。
【請求項４】
前記制御手段は、前記ライブビュー画像を前記通常倍率表示している際に前記第１の操作があった場合と、前記第２の操作があった場合との、いずれの場合にも前記第１のＡＦ方式でＡＦ処理を実行するように制御することを特徴とする請求項１乃至３のいずれか１項に記載の撮像制御装置。
【請求項５】
前記第１の操作は第１の操作部材に対する操作であり、前記第２の操作は、前記第１の操作部材とは異なる第２の操作部材に対する操作であることを特徴とする請求項１乃至４のいずれか１項に記載の撮像制御装置。
【請求項６】
前記第１の操作部材はシャッターボタンであることを特徴とする請求項５に記載の撮像制御装置。
【請求項７】
前記第２の操作部材はタッチパネルであることを特徴とする請求項５または６に記載の撮像制御装置。
【請求項８】
前記第２の操作は、前記タッチパネルに表示されたライブビュー画像上へのタッチ操作であり、前記制御手段は、前記第２の操作に応じて、タッチされた位置に応じた被写体をＡＦの対象としてＡＦ処理を行うように制御することを特徴とする請求項７に記載の撮像制御装置。
【請求項９】
前記第２のＡＦ方式は、１点ＡＦであることを特徴とする請求項１乃至８のいずれか１項に記載の撮像制御装置。
【請求項１０】
前記第１のＡＦ方式は、多点ＡＦ又は顔ＡＦの少なくとも一方であることを特徴とする請求項１乃至９のいずれか１項に記載の撮像制御装置。
【請求項１１】
前記制御手段は、前記第１の操作に応じては、撮像を行って画像ファイルを記録媒体に記録するまでの一連の処理である撮影処理は行わず、前記第２の操作に応じてはＡＦ処理を行うとともに前記撮影処理を行うように制御することを特徴とする請求項１乃至１０のいずれか１項に記載の撮像制御装置。
【請求項１２】
前記第１の操作は、シャッターボタンの半押しであり、前記制御手段は、前記シャッターボタンへの全押しに応じて前記撮影処理を行うように制御することを特徴とする請求項１１に記載の撮像制御装置。
【請求項１３】
前記撮像手段を更に有することを特徴とする請求項１乃至１２のいずれか１項に記載の撮像制御装置。
【請求項１４】
撮像手段で撮像されたライブビュー画像を、通常倍率表示と、当該通常倍率表示よりも拡大した拡大表示を含む複数の表示状態のいずれかで表示手段に表示するように制御するステップと、
前記ライブビュー画像を前記拡大表示している際に第１の操作があった場合には、前記通常倍率表示に切り替えるとともに第１のＡＦ方式でＡＦ処理を実行し、
前記ライブビュー画像を前記拡大表示している際に第２の操作があった場合には、前記拡大表示を維持して第２のＡＦ方式でＡＦ処理を実行するように制御するステップと、を有することを特徴とする撮像制御装置の制御方法。
【請求項１５】
コンピュータを、請求項１乃至１３のいずれか１項に記載された撮像制御装置の各手段として機能させるためのプログラム。
【請求項１６】
コンピュータを、請求項１乃至１３のいずれか１項に記載された撮像制御装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】撮像制御装置およびその制御方法、プログラム、並びに記憶媒体
【手続補正３】
【補正対象書類名】明細書
【補正対象項目名】０００３
【補正方法】変更
【補正の内容】
【０００３】
【特許文献１】特開２０１３−２０１５２７号公報
【手続補正４】
【補正対象書類名】明細書
【補正対象項目名】０００６
【補正方法】変更
【補正の内容】
【０００６】
上記課題を解決し、目的を達成するために、本発明の撮像制御装置は、撮像手段で撮像されたライブビュー画像を、通常倍率表示と、当該通常倍率表示よりも拡大した拡大表示を含む複数の表示状態のいずれかで表示手段に表示するように制御する表示制御手段と、前記ライブビュー画像を前記拡大表示している際に第１の操作があった場合には、前記通常倍率表示に切り替えるとともに第１のＡＦ方式でＡＦ処理を実行し、前記ライブビュー画像を前記拡大表示している際に第２の操作があった場合には、前記拡大表示を維持して第２のＡＦ方式でＡＦ処理を実行するように制御する制御手段と、を有する。
【手続補正５】
【補正対象書類名】明細書
【補正対象項目名】００１７
【補正方法】変更
【補正の内容】
【００１７】
ＳＥＴボタン１０９も図２で後述する操作部２７０に含まれる押しボタンであり、主に選択項目の決定などに用いられる。ライブビューボタン１１０も図２で後述する操作部２７０に含まれる押しボタンであり、静止画撮影モードではライブビュー表示のオン／オフを切り替え、動画記録モードでは動画撮影（記録）の開始や停止の指示に使用される。拡大ボタン１１１も図２で後述する操作部２７０に含まれる押しボタンであり、ライブビュー中における拡大表示のオン／オフ、及び拡大表示中の拡大率の変更を行うための操作部材である。また、拡大ボタン１１１は、再生モードでは再生画像を拡大し、拡大率を増加させるための操作部材である。縮小ボタン１１４も後述する操作部２７０に含まれる押しボタンであり、拡大された再生画像の拡大率を減少させ、画面を縮小表示するための操作部材である。
【手続補正６】
【補正対象書類名】図面
【補正対象項目名】図６
【補正方法】変更
【補正の内容】
【図６】
2017011579.tif 000001